(57)【要約】      （修正有）【課題】  溝蓋、歩道橋、階段などに用いる透水性に富みその上を靴の踵や杖の先端などが嵌入することなく安全に歩行できる鋼板材を生産性良く製造する。【解決手段】  縞模様２が突設された縞鋼板１に列をなして組模様３１、３２、３３、３４が穿孔されており、各組模様は同形の単位模様の孔４１〜４６が規則的に配列されており、各単位模様は直径１１ｍｍ以下の複数の円孔を連通部によって互に結合した形状であり、各組模様内で隣接関係にない単位模様の第１群の孔４１、４３、４５をプレス打ち抜き装置７によって打抜いた後に第２群の孔４２、４４、４６をプレス打ち抜き装置によって打抜く。縞鋼板１は矢印９方法に１ピッチｐずつ間歇的に送られながら、プレス打ち抜き装置７によって穿孔される。【選択図】  図１
2006083690.tif 000002
【特許請求の範囲】
【請求項１】
縞模様が突設された縞鋼板に列をなして複数の組模様の透水孔が穿孔されており、各組模様は同形であって偶数箇の単位模様が規則的に配列されており、各単位模様は直径１１ｍｍ以下の複数の円孔と、これら円孔を互に結合している連通部とよりなる穿孔縞鋼板。
【請求項２】
上記組模様はその中心の周囲に上記単位模様が対称に円形に配列されていることを特徴とする請求項１記載の穿孔縞鋼板。
【請求項３】
上記組模様における上記単位模様の数は６箇または４箇であることを特徴とする請求項１または２記載の穿孔縞鋼板。
【請求項４】
上記単位模様は３箇の円孔とこれら円孔を互いに結合している連通部とよりなる請求項１、２、３記載の穿孔縞鋼板。
【請求項５】
上記穿孔縞鋼板の長手方向の側縁が、アングル材の角部にその１翼と同一平面をなして溶接され、上記アングル材の他翼は垂下していることを特徴とする溝蓋。
【請求項６】
上記穿孔縞鋼板の長手方向の両側縁に沿いこれに接近して上記穿孔縞鋼板の下面に上記長手方向に細長い板状の脚が設けられていることを特徴とする溝蓋。
【請求項７】
上記板状の脚間に跨って上記穿孔縞鋼板の下面に細長い板状の補強板が設けられていることを特徴とする請求項６記載の溝蓋。
【請求項８】
上記板状の脚の下縁の適所に高さ調整板が設けられていることを特徴とする請求項６又は７記載の溝蓋。
【請求項９】
縞模様が突設された縞鋼板に、直径１１ｍｍ以下の複数の円孔及びこれら円孔を互いに結合している連通孔よりなる偶数箇の単位模様を規則的に配列してなる組模様の複数組を列をなしてプレス打ち抜き加工により穿孔する工程において、上記組模様内で互いに隣接しない関係にある第１の群の単位模様を打抜いた後に、残余の第２の群の単位模様を打抜くことを特徴とする穿孔縞鋼板の製造方法。
【請求項１０】
プレス打ち抜き加工装置に、第１の群の単位模様を打抜くための第１のポンチ群及びダイス群と第２の群の単位模様を打抜くための第２のポンチ群及びダイス群とが上記列における上記組模様間のピッチに相当する距離だけ隔って配置され、これら第１及び第２のポンチ群及びダイス群は同時にプレス打ち抜き加工動作を営み、上記縞鋼板を上記プレス打ち抜き加工装置に対して上記列方向に上記ピッチに相当する距離づつ送りながら、その都度上記プレス打ち抜き加工動作を反復することを特徴とする請求項９記載の穿孔縞鋼板の製造方法。
【請求項１１】
上記プレス打ち抜き加工装置に、上記第１のポンチ群及びダイス群の複数群と上記第２のポンチ群及びダイス群の複数群とが、上記列と交差する方向に配置され、複数組の組模様が同時に打抜かれることを特徴とする請求項９または１０記載の穿孔縞鋼板の製造方法。
【発明の詳細な説明】
【技術分野】
【０００１】
本発明は、表面に縞状の隆条を設けた縞鋼板に、水抜用の小透孔を多数設けてなる鋼板に関するものである。
【背景技術】
【０００２】
従来、歩道橋、階段、仮設歩道、道路側溝蓋などに、縞状の凸条を有する縞鋼板がしばしば使用されている。しかし縞鋼板は透水性がないために雨水などが溜り易く、寒冷時には氷結して非常に滑り易く危険である。側溝蓋については、特許文献１中に鋼板の表面に滑り止め用の凹凸を設けること、及び水抜き孔を設けることが記載されているが、水抜き孔の形状やその成形方法については何も記載されていない。
【特許文献１】特開２０００−１４４８７３公報
【０００３】
また、側溝蓋には、厚さ数ｍｍ程度の鋼帯を格子状に溶接したグレーチングや鋳鉄製の格子状溝蓋なども使用されているが、格子の目の間隙が大きいためにハイヒール靴の踵や杖の先端が嵌入する危険があり、かつ製品は重量が嵩むと共に高価である。
【発明の開示】
【発明が解決しようとする課題】
【０００４】
本発明は縞鋼板に多数の透水孔をプレス打ち抜き加工によって形成するものであり、ここで各透水孔の形状及び寸法をその中にハイヒール靴の踵や杖の先端が嵌入するのを防ぎ得るように選んで、その上を安全に歩行できるようにするものである。しかも、ボール盤加工やガス溶断加工などの非能率的な加工を採用しないことによって、極めて能率良く穿孔縞鋼板を製造しようとするものである。
【課題を解決するための手段】
【０００５】
本発明においては、滑り止めの縞模様を突設した縞鋼板に、プレス打ち抜き加工によって複数の透水孔が穿孔される。各透水孔は直径１１ｍｍ以下の複数の円孔を結合した単位模様を形成している。単位模様は複数箇が規則的に配列されて、組模様を構成している。上記縞鋼板には、その長手方向にこの組模様が一定のピッチで配列されている。
【０００６】
上述のような透水孔は、次のようにして穿孔される。先ず、第１のポンチ群及びダイス群を用いて上記組模様内で互いに隣接関係にない第１の群の単位模様を打抜き、次に第２のポンチ群及びダイス群を用いて残りの第２の群の単位模様を打抜く。
【０００７】
効率の良い穿孔方法としては、第１のポンチ群及びダイス群と第２のポンチ群及びダイス群とを上記の一定ピッチだけ隔てて配置し、縞鋼板の長手方向に互に隣接して配列される２組の組模様のうち、一方の組模様中の第１の群の単位模様を第１のポンチ群及びダイス群によって穿孔すると同時に、他方の組模様中の第２の群の単位模様を第２のポンチ群及びダイス群によって穿孔する。この動作を縞鋼板を１ピッチずつ送りながらくり返すことにより、縞鋼板にその長手方向に上記組模様が上記ピッチで配列された透水孔を穿孔することができる。
【０００８】
更に、上述の第１のポンチ群及びダイス群と第２のポンチ群及びダイス群とを縞鋼板の幅方向に複数組配置して動作させることにより、上記組模様を縞鋼板に同時に複数列穿孔することができる。
【発明の効果】
【０００９】
上述の本発明によって形成される透水孔は、直径１１ｍｍ以内の円孔を結合した形状であるから、ハイヒール靴の踵や杖の先端などが嵌入する惧れが皆無であり、縞鋼板に設けられている縞状の突条により滑らないので、安全にその上を歩行できる。そして、上述のような透水孔を穿孔することにより、縞鋼板の重量を２０％以上軽減することができる。
【００１０】
しかも、透水孔はプレス打ち抜き加工のみで同時に多数箇を穿孔できるので、ボール盤加工やガス溶断加工に較べて著しく生産性が良好であり、１箇の組模様内で互に隣接関係にない第１群の単位模様と残りの第２群の単位模様とを別々にプレス打ち抜き加工することによって、各ポンチ及び各ダイスと被加工縞鋼板とに加わる打抜時の応力を軽減して、より厚い縞鋼板のプレス打ち抜き加工が可能になり、厚さ７ｍｍ程度の鋼板までプレス打ち抜き加工によって穿孔できることが確認された。
【００１１】
また、第１群の単位模様を穿孔するポンチ群及びダイス群と、第２群の単位模様を穿孔するポンチ群及びダイス群とを、穿孔される縞鋼板の長手方向に上記１ピッチだけ隔ててプレス打ち抜き装置に取付け、縞鋼板を上記１ピッチずつ送りながらプレス打ち抜き加工を繰返すことによってその生産性が倍増され、更にこれらのポンチ群及びダイス群を縞鋼板の幅方向に複数群配置することにより、同時に複数組の組模様のプレス打ち抜き加工を行って生産性を更に高めることが可能になる。
【発明を実施するための最良の形態】
【００１２】
本発明において穿孔する透水孔は、図に示すように直径１１ｍｍ以下の接近した複数の円孔を、曲線状の内側縁を持った連通部によって結合した単位模様とするのが望ましく、このような単位模様を用いることによって、個々の円孔を別々にプレス打ち抜き加工する場合に較べて、ポンチの機械的強度を高め、かつ透水機能を高めることができる。望ましい単位模様は、図示のように３箇の円孔を連通部によって結合した形状である。
【００１３】
上記単位模様の透水孔は、偶数箇が円形または正多角形に配列されて、１箇の組模様を構成する。組模様の望ましい例は、図示のように６箇の単位模様が正６角形に配置される形状や、４箇の単位模様が正方形に配置される形状である。各組模様の中で、各単位模様は交互に第１群と第２群とに分別され、群ごとに別々にプレス打ち抜き加工される。
【実施例１】
【００１４】
図１において１は厚さが約５ｍｍの縞鋼板であり、その表面には幅が約５ｍｍ、高さが１．５〜２．０ｍｍの縞２が突設されている。この縞鋼板１には、図２に示すような組模様３が、縞鋼板１の長手方向及び幅方向に行及び列をなして配列されておりｐは幅方向の列間のピッチを示す。各組模様３は円形に配列された６箇の単位模様４１、４２、４３、４４、４５、４６からなる。各単位模様は、内径１１ｍｍの３箇の円孔５１、５２、５３を連通部６によって結合した形状をなし、連通部６の内側縁６１は円弧状をなしている。
【００１５】
縞鋼板は、互に隣接関係にない第１群の単位模様４１、４３、４５と第２群の単位模様４２、４４、４６とが、２回に分けて穿孔される。そのために図３に示すようにプレス打ち抜き装置７は第１群の単位模様を打抜くポンチ８１，８３，８５よりなるポンチ群と、第２群の単位模様を打抜くポンチ８２，８４，８６よりなるポンチ群とが、縞鋼板の長手方向に前記ピッチｐを隔てて配置され、これをポンチに対応するダイスも同様なダイス孔を有している。
【００１６】
再び第１図において、縞鋼板１は矢印９方法に１ピッチｐずつ間歇的に送られながら、プレス打ち抜き装置７によって穿孔される。図示の場合組模様３１及び３２は既に穿孔を完了している。組模様３３では、第１群の単位模様４１、４３、４５（図２参照）は穿孔を完了し、ハッチングを施した第２群の単位模様４２、４４、４６（図２参照）の穿孔中であり、組模様３４ではハッチングを施した第１群の単位模様の穿孔中であり、第２群の単位模様の穿孔は未着手であることを示す。
【実施例２】
【００１７】
図４に示す実施例では、実施例１と同寸法の単位模様が４箇円形に配置されて組模様３を構成しており、縞鋼板１にはこの組模様３の複数組が穿孔される。ここで、対角位置にある単位模様４１と４３及び４２と４４がそれぞれ第１群及び第２群をなし、先ず、１群の単位模様４１、４３を穿孔した後に第２群の単位模様４２、４４を穿孔する。
【実施例３】
【００１８】
図５は上記穿孔縞鋼板を利用した幅が狭い溝蓋の例を示し、（ａ）は平面図、（ｂ）はＡ−Ａ線に沿う断面図である。縞鋼板１には図４に示した組模様３、３・・・が２列に穿孔され、その両側縁はアングル材１１、１１の角部に、その１翼１２、１２と同一平面をなして溶接されている。アングル材１１、１１の他翼は、道路側溝の内壁に嵌合する。
【実施例４】
【００１９】
図５は上記穿孔縞鋼板を利用した比較的に幅が広い溝蓋の例を示し、（ａ）は平面図、（ｂ）はＢ−Ｂ線に沿う断面図、（ｃ）はＣ−Ｃ線に沿う断面図である。縞鋼板１には図２に示した組模様３、３・・・が図１に示すように４列に穿孔され、その両側縁に近い下面には、縞鋼板の長手方向に長い板状の脚１３、１３が垂直に溶接され、脚１３、１３の相互間には脚１３、１３より若干幅が狭い短冊状の補強板１４、１４・・・が適当な間隔を置いて溶接されている。この溝蓋は設置に際して道路側溝の内壁に形成された段の上に置かれるが、その際に溝蓋の上面が道路面と一致するように、かつ溝蓋ががたつかないように、脚１３、１３の下端の適所に高さ調整板１５、１５・・・が溶接される。
【産業上の利用可能性】
【００２０】
上述の穿孔縞鋼板は、その表面に亜鉛鍍金や樹脂塗装などを施して使用するのが望ましく、特に樹脂塗装の場合は自然石状の斑紋や落葉模様などを画くことによって雅趣を与えることができる。そして、用途としては、溝蓋に限らず、歩道橋、工場などの床や、歩道橋、工場、船舶などの階段など、特に水に濡れ易い箇所の建築材料に好適である。
【図面の簡単な説明】
【００２１】
【図１】本発明における縞鋼板のプレス打ち抜き加工の過程を示す平面図である。
【図２】本発明によって縞鋼板に形成される組模様の例を示す平面図である。
【図３】本発明において使用されるプレス打ち抜き装置の１例を示す平面図である。
【図４】本発明によって縞鋼板に形成される組模様の他の例を示す平面図である。
【図５】本発明による穿孔縞鋼板を用いた溝蓋の１例を示し、（ａ）は平面図、（ｂ）はＡ−Ａ線に沿う断面図である。
【図６】本発明による穿孔縞鋼板を用いた溝蓋の他の例を示し、（ａ）は平面図、（ｂ）はＢ−Ｂ線に沿う断面図、（ｃ）はＣ−Ｃ線に沿う断面図である。
【符号の説明】
【００２２】
１          縞鋼板
２          縞
３          組模様
３１〜３４  組模様
４１〜４６  単位模様
５１〜５３  円孔
６          連通部
６１        連通部内側縁
７          プレス打ち抜き装置
８１〜８６  ポンチ
９          縞鋼板の送り方向
１１        アングル材
１２        アングル材の１翼
１３        脚
１４        補強板
１５        高さ調整板
ｐ          組模様３のピッチ
【図１】
2006083690.tif 000003
【図２】
2006083690.tif 000004
【図３】
2006083690.tif 000005
【図４】
2006083690.tif 000006
【図５】
2006083690.tif 000007
【図６】
2006083690.tif 000008